(57)【要約】      （修正有）【課題】構造簡単で、安定的に高周波伝送できるソケットコネクターアセンブリーを提供する。【解決手段】二つのソケットコネクター１を有し、各ソケットコネクターが少なくとも１つの絶縁本体と、複数の第１端子と、複数の第２端子とを有し、該絶縁本体に交差配列される凹部と係合チャンネルが形成され、該第１端子と第２端子が該絶縁本体の内部に設けられる内部部材と、該二つのソケットコネクターとの間に設けられる固定部材１２と、該内部部材の外部に設けられる金属カバー１３とを備える。【選択図】図１
0003151485.tif 000002
【実用新案登録請求の範囲】
【請求項１】
二つのソケットコネクターを有し、各ソケットコネクターが少なくとも１つの絶縁本体と、複数の第１端子と、複数の第２端子とを有し、該絶縁本体に交差配列される凹部と係合チャンネルが形成され、該第１端子と第２端子が該絶縁本体の内部に設けられる内部部材と、
該二つのソケットコネクターとの間に設けられる固定部材と、
該内部部材の外部に設けられる金属カバーとを備えることを特徴とするソケットコネクターアセンブリー。
【請求項２】
前記二つのソケットコネクターは、上下重合であることを特徴とする請求項１に記載のソケットコネクターアセンブリー。
【請求項３】
前記第１端子は、互いに平行配列されると共に、突出端と、延伸部と、第１脚端とを有し、該突出端は、該絶縁本体の凹部に位置され、該延伸部は、該突出端と該第１脚端と連接されると共に、該絶縁本体の内部に設けられ、該第１脚端は、該延伸部と直交することを特徴とする請求項２に記載のソケットコネクターアセンブリー。
【請求項４】
前記第１端子は、USB3.0端子であることを特徴とする請求項３に記載のソケットコネクターアセンブリー。
【請求項５】
前記第２端子は、該第１端子と交差して平行されると共に、弾性端と、連接部と、第２脚端とを有し、該弾性端に突出状の球面が設けられ、該連接部は、該弾性端と該第２脚端と連接されると共に、該絶縁本体の係合チャンネルに位置され、該第２脚端が該連接部と直交されると共に、該連接部との連接箇所に湾曲部が設けられることを特徴とする請求項３に記載のソケットコネクターアセンブリー。
【請求項６】
前記第２端子は、USB2.0端子であることを特徴とする請求項５に記載のソケットコネクターアセンブリー。
【考案の詳細な説明】
【技術分野】
【０００１】
本考案は、特に構造簡単で、安定的に高周波伝送できるソケットコネクターアセンブリーに関するものである。
【背景技術】
【０００２】
USB（Universal Serial Bus：ユニバーサル・シリアル・バス）は、コンピュータに周辺機器を接続するためのシリアルバス規格の一つである。
最初の規格となるUSB1.0は1996年に登場した。現在のパーソナルコンピュータ及びその周辺において、最も普及した汎用インターフェイス規格の1つである。
更に、インテルから発表したUSB2.0の登場によって転送速度とシステム負荷の軽減に大幅な向上がみられ、高速転送が必要なために従来のIDEやSCSIなど・IEEE1394・イーサネット（登録商標）などが必要だった機器との接続にも用いられている。
故に、USBメモリー、プリンタ又はマウスなど周辺機器にUSB伝送インターフェイスがよく使用されている。尚、このUSB伝送インターフェイスはよく使用されるため、特に特許文献や非特許文献に記載されていない。
【考案の概要】
【考案が解決しようとする課題】
【０００３】
伝送ファイルの容量の膨大化に伴い、USB2.0の伝送インターフェイスは、制御チップと様々な原因によって既に使用の需要に満足できないので、新たなUSB3.0伝送インターフェイスが開発された。
USB3.0伝送インターフェイスは、既にある構造と特徴を有する以上、伝送スピードがUSB2.0伝送インターフェイスの１０倍でもあり、そして省エネの効果を有する。
【０００４】
しかしながら、USB3.0伝送インターフェイスは、上述の効果を有する一方、その構造も複雑になり、更に一組の端子が追加されることにより、製造コストを向上してしまうという問題があり、且つ追加した端子と既に有する端子との間に伝送の干渉で伝送の安定性に悪影響を与える恐れがある。
【０００５】
そこで、考案されたのが本考案であって、構造簡単で、安定的に高周波伝送できるソケットコネクターアセンブリーを提供することを目的としている。
【課題を解決するための手段】
【０００６】
本願の請求項１の考案は、二つのソケットコネクターを有し、各ソケットコネクターが少なくとも１つの絶縁本体と、複数の第１端子と、複数の第２端子とを有し、該絶縁本体に交差配列される凹部と係合チャンネルが形成され、該第１端子と第２端子が該絶縁本体の内部に設けられる内部部材と、
該二つのソケットコネクターとの間に設けられる固定部材と、
該内部部材の外部に設けられる金属カバーとを備えることを特徴とするソケットコネクターアセンブリー、を提供する。
【０００７】
本願の請求項２の考案は、前記二つのソケットコネクターは、上下重合であることを特徴とする請求項１に記載のソケットコネクターアセンブリー、を提供する。
【０００８】
本願の請求項３の考案は、前記第１端子は、互いに平行配列されると共に、突出端と、延伸部と、第１脚端とを有し、該突出端は、該絶縁本体の凹部に位置され、該延伸部は、該突出端と該第１脚端と連接されると共に、該絶縁本体の内部に設けられ、該第１脚端は、該延伸部と直交することを特徴とする請求項２に記載のソケットコネクターアセンブリー、を提供する。
【０００９】
本願の請求項４の考案は、前記第１端子は、USB3.0端子であることを特徴とする請求項３に記載のソケットコネクターアセンブリー、を提供する。
【００１０】
本願の請求項５の考案は、前記第２端子は、該第１端子と交差して平行されると共に、弾性端と、連接部と、第２脚端とを有し、該弾性端に突出状の球面が設けられ、該連接部は、該弾性端と該第２脚端と連接されると共に、該絶縁本体の係合チャンネルに位置され、該第２脚端が該連接部と直交されると共に、該連接部との連接箇所に湾曲部が設けられることを特徴とする請求項３に記載のソケットコネクターアセンブリー、を提供する。
【００１１】
本願の請求項６の考案は、前記第２端子は、USB2.0端子であることを特徴とする請求項５に記載のソケットコネクターアセンブリー、を提供する。
【考案の効果】
【００１２】
本考案は上記の課題を解決するものであり、USB2.0端子である第２端子とUSB3.0端子である第１端子が設けられることにより、より高速な伝送を行うことができると共に、簡単の構造で製造コストを降下する効果を有する。
【図面の簡単な説明】
【００１３】
【図１】本考案に係るソケットコネクターアセンブリーの斜視図である。
【図２】本考案に係るソケットコネクターアセンブリーの分解斜視図である。
【図３】本考案に係るソケットコネクターアセンブリーの他の分解斜視図である。
【図４】本考案に係るソケットコネクターアセンブリーの他の斜視図である。
【図５】本考案に係るソケットコネクターアセンブリーの正面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１に示すように、本考案に係わるソケットコネクターアセンブリー（１）は、プラグコネクター（符号なし）を連接するために用いられ、内部部材（１１）と、固定部材（１２）と、金属カバー（１３）とを備える。
【００１６】
図２及び図３に示すように、該内部部材（１１）は、上下重合のソケットコネクターを含み、第１絶縁部材（１１１）と、第２絶縁部材（１１２）と、第３絶縁部材（１１３）と、第４絶縁部材（１１４）と、二組の第１端子（１１５A、１１５B）と、二組の第２端子（１１６A、１１６B）とを有する。
【００１７】
該第１絶縁部材（１１１）は、第１表面（１１１１）を有し、該第１表面（１１１１）に平行配列する五つの第１凹部（１１１２）が形成されると共に、中央に該第１凹部（１１１２）と交差して平行配列する四つの第１係合チャンネル（１１３）が形成され、該第１絶縁部材（１１１）に該第１係合チャンネル（１１３）から外部へ延伸する複数の第１係合孔（１１１４）が形成され、該第１表面（１１１１）に対する他面に第１位置決め溝（１１１５）が形成される。
【００１８】
該第２絶縁部材（１１２）は、該第１絶縁部材（１１１）と結合されると共に、第２表面（１１２１）と第３表面（１１２２）を有し、該第２表面（１１２１）は、該第１表面（１１１１）と対応すると共に、該第１係合孔（１１１４）と対応しあう第１係合部材（１１２３）が設けられ、該第３表面（１１２２）に複数の第２係合部材（１１２４）が設けられ、該第２絶縁部材（１１２）に更に該第１係合部材（１１２３）と第２係合部材（１１２４）から外部へ延伸する貫通孔（１１２５）が形成され、該貫通孔（１１２５）に対する該第２絶縁部材（１１２）の他端が結合端（１１２６）であり、該第２絶縁部材（１１２）の両側に第２位置決め溝（１１２７）が形成される。
【００１９】
該第３絶縁部材（１１３）は、該第２絶縁部材（１１２）と結合されると共に、第４表面（１１３１）と該５表面（１１３２）を有し、該第４表面（１１３１）に該第２係合部材（１１２４）と対応する第２係合孔（１１３３）が形成されることにより、第３絶縁部材（１１３）と第２絶縁部材（１１２）とを結合することができ、該第５表面（１１３２）に平行配列する五つの第２凹部（１１３６）が形成されると共に、中央に該第２凹部（１１３６）と交差して平行配列する四つの第２係合チャンネル（１１３４）が形成され、該第３絶縁部材（１１３）に該第２係合チャンネル（１１３４）から外部へ延伸する複数の第３係合孔（１１３５）が形成される。
【００２０】
該第４絶縁部材（１１４）は、該第３絶縁部材（１１３）と結合されると共に、第６表面（１１４１）と第７表面（１１４２）を有し、該第６表面（１１４１）に該第３係合孔（１１３５）と対応する第３係合部材（１１４３）が設けられ、該第４絶縁部材（１１４）に該第３係合部材（１１４３）から外部へ延伸すると共に、平行配列する二組の位置決め孔（１１４４A、１１４４B、１１４５A、１１４５B）が形成される。
【００２１】
該第１端子（１１５A、１１５B）は、互いに平行配列されると共に、夫々該第１絶縁部材（１１１）と第３絶縁部材（１１３）に設けられ、突出端（１１５１A、１１５１B）と、延伸部（１１５２A、１１５２B）と、第１脚端（１１５３A、１１５３B）とを有し、該突出端（１１５１A、１１５１B）が該第１凹部（１１１２）と第２凹部（１１３６）に位置決められ、該延伸部（１１５２A、１１５２B）は、該突出端（１１５１A、１１５１B）と第１脚端（１１５３A、１１５３B）と連接されると共に、該第１絶縁部材（１１１）と第３絶縁部材（１１３）の内部に設けられ、該第１脚端（１１５３A、１１５３B）は、該延伸部（１１５２A、１１５２B）と直交されると共に、該位置決め孔（１１４４A、１１４４B）に位置決められ、該第１端子（１１５A、１１５B）は、USB3.0伝送端子である。
【００２２】
該第２端子（１１６A、１１６B）は、該第１端子（１１５A、１１５B）と交差して平行配列すると共に、夫々該第１絶縁部材（１１１）と第３絶縁部材（１１３）に設けられ、弾性端（１１６１A、１１６１B）と、連接部（１１６２A、１１６２B）と、第２脚端（１１６３A、１１６３B）とを有し、該弾性端（１１６１A、１１６１B）に突出状の球面（符号なし）が形成され、該連接部（１１６２A、１１６２B）は、該弾性端（１１６１A、１１６１B）と第２脚端（１１６３A、１１６３B）と連接されると共に、該第１係合チャンネル（１１１３）と第２チャンネル（１１３４）の内部に設けられ、該第２脚端（１１６３A、１１６３B）は、該連接部（１１６２A、１１６２B）と直交されると共に、該位置決め孔（１１４５A、１１４５B）に位置決められ、該連接部（１１６２A、１１６２B）との連接箇所に湾曲部（１１６４A、１１６４B）が設けられることにより、プラグコネクタ-が挿入する際、該第２端子（１１６A、１１６B）の変形や損害を防止することができる。該第２端子（１１６A、１１６B）は、USB2.0伝送端子である。
【００２３】
該固定部材（１２）は、金属のケースであり、該第２絶縁部材（１１２）の結合端（１１２６）から該第２絶縁部材（１１２）に設けられると共に、複数の弾性プレート（１２１）を有する。
【００２４】
該金属カバー（１３）は、四つの側面を有し、その上に該第１位置決め溝（１１１５）と第２位置決め溝（１１２７）と係合する可能な第１位置決め部材（１３１）と第２位置決め部材（１３２）と、四つの挿入脚（１３３）と、それぞれその側面に位置される弾性プレート（１３４）が設けられ、該第１位置決め部材（１３１）と該第２位置決め部材（１３２）により、該内部部材（１１）を該金属カバー（１３）の内部に緊密に固定させ、該挿入脚（１３）により、本考案のソケットコネクターアセンブリー（１）を回路板（A）に設置することができる。
【００２５】
図３乃至図５に示すように、本考案に係わるソケットコネクターアセンブリー（１）を組み合わせる時、嵌込式射出成型法（INSERT  MOLDING）により該第１端子（１１５A、１１５B）と第２端子（１１６A、１１６B）を該第１絶縁本体（１１１）と第２絶縁本体（１１３）に固定させ、該第１端子（１１５A、１１５B）と第２端子（１１６A、１１６B）は、互いに交差配列するため、且つ該延伸部（１１５２A、１１５２B）と連接部（１１６２A、１１６２B）の調整で、該第１端子（１１５A、１１５B）の突出端（１１５１A、１１５１B）と該第２端子（１１６A、１１６B）の弾性端（１１６１A、１１６１B）が互いに接触しなく、故にショット現象を発生しない。該第１絶縁部材（１１１）、該第２絶縁部材（１１２）、該第３絶縁部材（１１３）及び該第４絶縁部材（１１４）を夫々結合した後、該第１脚端（１１５３A）と第２脚端（１１６３A）が該第２絶縁部材（１１２）の貫通孔（１１２５）から貫き出すと共に、該第４絶縁部材（１１４）の位置決め孔（１１４４B、１１４５B）に位置決められ、故に該第１脚端（１１５３A、１１５３B）と該第２脚端（１１６３A、１１６３B）が互いに交差して位置決めることができる。最後に、該固定部材（１２）と金属カバー（１３）を組み合わせた後、本考案のソケットコネクターアセンブリー（１）を完成する。
【００２６】
本考案のソケットコネクターアセンブリー（１）は、二つのソケットコネクターを有し、二組のプラグコネクタの挿入効果を提供でき、該固定部材（１２）と金属カバー（１３）における弾性プレート（１２１、１３４）によって該プラグコネクターを安定的に固定することができ、又、本考案のソケットコネクターアセンブリー（１）は、USB2.0伝送端子とUSB3.0伝送端子を有するので、高速伝送効果を達成することができる。
【産業上の利用可能性】
【００２７】
本考案は上記の構成を有するので、USB2.0端子である第２端子とUSB3.0端子である第１端子が設けられることにより、より高速な伝送を行うことができると共に、簡単の構造で製造コストを降下する効果を有する。
【符号の説明】
【００２８】
１          ソケットコネクターアセンブリー
１１        内部部材
１１１      第１絶縁部材
１１１１    第１表面
１１１２    第１凹部
１１１３    第１係合チャンネル
１１１４    第１係合孔
１１１５    第１位置決め溝
１１２      第２絶縁部材
１１２１    第２表面
１１２２    第３表面
１１２３    第１係合部材
１１２４    第２係合部材
１１２５    貫通孔
１１２６    結合端
１１２７    第２位置決め溝
１１３      第３絶縁部材
１１３１    第４表面
１１３２    第５表面
１１３３    第２係合孔
１１３４    第２係合チャンネル
１１３５    第３係合孔
１１３６    第２凹部
１１４      第４絶縁部材
１１４１    第６表面
１１４２    第７表面
１１４３    第３係合部材
１１４４A、１１４４B、１１４５A、１１４５B    位置決め孔
１１５A、１１５B    第１端子
１１５１A、１１５１B    突出端
１１５２A、１１５２B    延伸部
１１５３A、１１５３B    第１脚端
１１６A、１１６B    第２端子
１１６１A、１１６１B    弾性端
１１６２A、１１６２B    連接部
１１６３A、１１６３B    第２脚端
１２        固定部材
１２１      弾性プレート
１３        金属カバー
１３１      第１位置決め部材
１３２      第２位置決め部材
１３３      挿入脚
１３４      弾性プレート
【図１】
0003151485.tif 000003
【図２】
0003151485.tif 000004
【図３】
0003151485.tif 000005
【図４】
0003151485.tif 000006
【図５】
0003151485.tif 000007